(57)【要約】      （修正有）【課題】殺菌機能を備える携帯式ろ過ボトルを提供する。【解決手段】携帯式ろ過ボトルは内部に収容設置空間１１を備える本体１を備える。本体１は水入口１２から水出口１３まで、順番に水入口１２に蓋をする第一蓋体１４、ろ過槽１５、照明殺菌装置１８、第二蓋体１９を設置し、ろ過槽１５は収容設置空間１１の片側辺に位置し、ろ過器１６を収容して設置する。ろ過槽１５は収容設置空間１１端に近い外側面に逆流防止装置１７を設置しする。照明殺菌装置１８は収容設置空間１１の反対側辺に位置する。第二蓋体１９は水出口１３に蓋をする。水入口１２から入った水は、ろ過後に逆流防止バルブ１７３の制御により収容設置空間１１に流入し、次に照明殺菌装置１８により、水に対して殺菌を行う。こうして使用者は清潔な水を随時飲用するでき、飲料水の衛生性を向上させることができる。【選択図】図１
0003187892.tif 000002
【実用新案登録請求の範囲】
【請求項１】
携帯式ろ過ボトルは、本体を備え、
前記本体内部には、収容設置空間を備え、前記本体の片側は、水入口とし、反対側は、水出口とし、
前記水入口から前記水出口まで、順番に、第一蓋体、ろ過槽、照明殺菌装置、第二蓋体を設置し、
前記第一蓋体は、前記水入口に蓋をし、
前記ろ過槽は、前記収容設置空間の片側辺に位置し、ろ過器を収容して設置し、前記ろ過槽は、前記収容設置空間端に近い側面に、逆流防止装置を設置し、
前記照明殺菌装置は、前記収容設置空間の反対側辺に位置し、
前記第二蓋体は、前記水出口に蓋をすることを特徴とする携帯式ろ過ボトル。
【請求項２】
前記逆流防止装置は、前記水出口、前記水入口方向に対応する両側端面中央に、水出口孔と水入口孔をそれぞれ開設し、しかもその内部には、逆流防止バルブを設置することを特徴とする請求項１に記載の携帯式ろ過ボトル。
【請求項３】
前記逆流防止装置の、前記水出口方向に対応する内側端面は、周囲の壁から中央に向かい弧状を呈して傾斜し、弧状端面を形成することを特徴とする請求項２に記載の携帯式ろ過ボトル。
【請求項４】
前記逆流防止バルブの直径は、前記逆流防止装置の、水出口、水入口方向に対応する両側端面の直径より小さいことを特徴とする請求項３に記載の携帯式ろ過ボトル。
【請求項５】
前記照明殺菌装置はさらに、相互に電気的に連接する電池設備、ランプを連接する回路板、ランプスイッチを備えることを特徴とする請求項１に記載の携帯式ろ過ボトル。
【請求項６】
前記ランプは、気密ケースに入れ、しかも前記ランプと前記気密ケースとの間は真空を形成することを特徴とする請求項５に記載の携帯式ろ過ボトル。
【考案の詳細な説明】
【技術分野】
【０００１】
本考案は携帯式ろ過ボトルに関し、特に殺菌機能を備える携帯式ろ過ボトルに関する。
【背景技術】
【０００２】
工/商業の発展、科学技術の急速な進歩は、生活環境の急激な変化をもたらしており、各種の汚染が、人類の工/商業行為に従って広がっている。
これが自然を汚し、ひいては現代社会に暮らす人々の生活環境、生きるために不可欠な空気、水にまで広がっている。
【０００３】
上記状況に対応するため、各種の浄水装置、消毒、殺菌の器材などが、次々に開発されている。
これらにより、空気や水に対して、ろ過、消毒、殺菌を行い、人々が安心して暮らせる環境、安全に使える物品を提供している。
【０００４】
しかし、従来の携帯式ろ過ボトルには、実用性が充分でないという欠点がある。
本考案は、従来の携帯式ろ過ボトルの上記した欠点に鑑みてなされたものである。
【考案の概要】
【考案が解決しようとする課題】
【０００５】
本考案が解決しようとする課題は、使用者に清潔な水を随時提供し、飲料水の衛生性と安全性を向上させることができる殺菌機能を備える携帯式ろ過ボトルを提供することである。
【課題を解決するための手段】
【０００６】
上記課題を解決するため、本考案は下記の携帯式ろ過ボトルを提供する。
携帯式ろ過ボトルは、内部に収容設置空間を備える本体を備え、
該本体は、水入口から水出口まで、順番に、該水入口に蓋をする第一蓋体、ろ過槽、照明殺菌装置、第二蓋体を設置し、
該ろ過槽は、収容設置空間の片側辺に位置し、ろ過器を収容して設置し、該ろ過槽は、該収容設置空間端に近い側面に逆流防止装置を設置し、
該照明殺菌装置は、該収容設置空間の反対側辺に位置し、
該第二蓋体は、該水出口に蓋をし、
該第一蓋体の内側周囲壁には、ネジヤマを設置し、該本体の水入口位置の周囲壁に、相対させて設置するネジヤマにより、螺合して固定することができ、
該ろ過器は、ろ過ロートで、
該逆流防止装置は、該水出口、該水入口方向に対応する両側端面中央に、水出口孔と水入口孔をそれぞれ開設し、しかもその内部には、逆流防止バルブを設置し、該逆流防止バルブの直径は、該逆流防止装置の、水出口、水入口方向に対応する両側端面の直径より小さく、該逆流防止バルブは、本考案一実施形態では、シリコンシートで、
該逆流防止装置の、該水出口方向に対応する内側端面は、周囲の壁から中央に向かい弧状を呈して傾斜し、弧状端面を形成し、
該本体は、該収容設置空間位置に相対する周囲壁は、透明状を呈し、
該照明殺菌装置はさらに、電池設備、ランプを連接する回路板、ランプスイッチを備え、該電池設備は、該ランプスイッチに電気的に連接し、該ランプスイッチは、該回路板に電気的に連接し、該ランプスイッチをオンにすることで、電流を提供し、ランプを発光させて、殺菌を行い、該ランプスイッチ５は、ボタン式設計で、しかも該第二蓋体上に設置し、
該ランプは、紫外線ランプで、該ランプは、気密ケースに入れた後、該収容設置空間内に設置し、しかも該ランプと該気密ケースとの間は真空を形成し、これにより該ランプが発する殺菌光線は、ほとんど減衰することなく、該気密ケース外側へと到達し、
該第二蓋体は、スライド式蓋体である。
【考案の効果】
【０００７】
本考案の携帯式ろ過ボトルは、以下の効果を備える。
1.  本考案はろ過機能と殺菌機能を、一体に統合し、こうして使用者は、ろ過と殺菌の機能を同時に擁する携帯式ろ過ボトルを所有することができ、これにより使用者は、清潔な水を随時飲用でき、飲料水の衛生性と安全性を向上させることができる。
2.  本考案のろ過器は、使用期限が過ぎても、簡単に取り出して交換できるため、携帯式ろ過ボトルの使用寿命を拡大することができる。
3.  使用者が殺菌機能を用いようとする時には、第二蓋体上に設置するランプスイッチを押すだけで、簡単に殺菌を行うことができる。
4.  本体は、収容設置空間位置に相対する周囲壁は、透明状を呈するため、使用者は照明殺菌装置の状態を知ることができ、照明殺菌装置がオンである時には、ランプは点灯し、殺菌過程が終了するとランプは消灯する。
5.  照明殺菌装置は、電池を電源とするため、電池の電力が不足した時には、取り出して簡単に交換でき、これにより照明殺菌装置は、作動を継続することができる。
【図面の簡単な説明】
【０００８】
【図１】本考案の側面断面図である。
【図２】本考案の実施状態模式図(一)である。
【図３】本考案の実施状態模式図(二)である。
【図４】本考案の実施状態模式図(三)である。
【考案を実施するための形態】
【０００９】
以下に図面を参照しながら本考案を実施するための最良の形態について詳細に説明する。
【実施例】
【００１０】
本考案の側面断面図である図１に示すように、携帯式ろ過ボトルは、本体１を備える。
本体１内部には、収容設置空間１１を備える。
本体１の片側は、水入口１２とし、反対側は、水出口１３とする。
【００１１】
水入口１２から水出口１３まで、順番に、第一蓋体１４、ろ過槽１５、ろ過器１６、逆流防止装置１７、照明殺菌装置１８、第二蓋体１９を設置する。
第一蓋体１４は、水入口１２に蓋をする。
ろ過槽１５は、収容設置空間１１の片側辺に位置し、ろ過器１６を収容して設置する。
本考案の一実施形態では、ろ過器１６は、ろ過ロートである。
ろ過槽１５は、収容設置空間１１端に近い外側面に、逆流防止装置１７を設置する。
逆流防止装置１７は、水出口１３、水入口１２方向に対応する両側端面中央に、水出口孔１７１と水入口孔１７２をそれぞれ開設し、しかもその内部には、逆流防止バルブ１７３を設置する。
照明殺菌装置１８は、収容設置空間１１の反対側辺に位置する。
第二蓋体１９は、水出口１３に蓋をする。  
【００１２】
上記した本考案の携帯式ろ過ボトルにおいて、照明殺菌装置１８はさらに、電池設備１８１、ランプ１８３を連接する回路板１８２、ランプスイッチ１８５を備える。
電池設備１８１は、ランプスイッチ１８５に電気的に連接する。
ランプスイッチ１８５は、回路板１８２に電気的に連接する。
ランプスイッチ１８５をオンにすることで、電流を回路板１８２に提供し、ランプ１８３を発光させて、殺菌を行う。
ランプ１８３は、紫外線ランプである。
ランプ１８３は、気密ケース１８４に入れた後、収容設置空間１１内に設置する。
ランプ１８３と気密ケース１８４との間は真空を形成し、これによりランプ１８３が発する殺菌光線は、ほとんど減衰することなく、気密ケース１８４外側へと到達する。
【００１３】
図１に合わせて、本考案の実施状態模式図(一)、(二)、(三)である図２〜４に示すように、使用者が携帯式ろ過ボトルを使用する時には、先ず、第一蓋体１４で蓋をされた水入口１２を上向きにし、第一蓋体１４を開いた後、水入口１２から水を入れる。
水は、多種のろ過材質により組成するろ過器１６を経由する。
わずかな時間静かに置いた後、水は、本体内の収容設置空間１１にゆっくりと流入する。
こうして、次の殺菌動作を待つ。
【００１４】
逆流防止装置１７内には、可動式逆流防止バルブ１７３を設置する。
逆流防止バルブ１７３は、本考案一実施形態では、シリコンシートである。
逆流防止装置１７の、水出口１３方向に対応する内側端面は、周囲の壁から中央に向かい弧状を呈して傾斜し、弧状端面を形成する。
本体１を、水入口１２を上向きにする方式で置くと、重力作用により、逆流防止バルブ１７３は、弧状端面に滑り落ちる。
【００１５】
逆流防止バルブ１７３の直径は、逆流防止装置１７の、水出口１３、水入口１２方向に対応する両側端面の直径より小さい。
よって、逆流防止バルブ１７３と、逆流防止バルブ装置１７内側周囲壁との間には、空隙が残る。
さらに、弧状端面設計により、逆流防止バルブ１７３は、弧状端面に、完全に密着することができないため、逆流防止バルブ１７３と弧状端面中央の水出口孔１７１との間にも間隙が残る。
これにより、ろ過後の水は、収容設置空間１１内に流入することができる。
【００１６】
本体１を、水出口１３を上にする方式で置くと、重力作用により、逆流防止バルブ１７３は、逆流防止装置１７のろ過槽１５片側に近い端面に滑り落ち、水入口孔１７２をちょうど塞ぐ。
これにより、収容設置空間１１内の水は、水入口孔１７２から、ろ過槽１５へと逆流することはなく、こうして水は収容設置空間１１内に止まる。
こうして、ろ過器１６のろ過材が水中に浸かり続け、繰り返しろ過するという問題の発生を回避することができる。
【００１７】
水が、収容設置空間１１にほぼ充満すると、使用者は、第一蓋体１４で水入口１２に蓋をする。
本考案の一実施形態では、第一蓋体１４の内側周囲壁には、ネジヤマを設置し、本体１の水入口１２位置の周囲壁に、相対させて設置するネジヤマにより、螺合して固定することができる。
続いて再び、本体１を、水出口１３を上にする方式で置く。
【００１８】
この時、使用者は、第二蓋体１９上のランプスイッチ１８５をオンにする。
ランプスイッチ１８５は、本考案一実施形態では、ボタン式設計である。
照明殺菌装置１８に設置するランプ１８３は点灯し、殺菌を行う。
別に、本体１は、収容設置空間１１位置に相対する周囲壁は、透明状を呈するため、使用者は照明殺菌装置１８の状態を知ることができる。
照明殺菌装置１８がオンである時には、ランプ１８３は点灯し、殺菌過程が終了するとランプは消灯する。
【００１９】
ランプが消灯すると、使用者は、第二蓋体１９を開くことができる。
第二蓋体１９は、本考案の一実施形態では、スライド式蓋体である。
この後、水出口１３から、ろ過され殺菌された清潔な水を、そのまま飲用することができる。
【００２０】
これにより、本考案は、ろ過機能と殺菌機能を、一体に統合する。
こうして、使用者は、ろ過と殺菌の機能を同時に擁する携帯式ろ過ボトルを所有することができる。
これにより、使用者は、清潔な水を随時飲用でき、飲料水の衛生性と安全性を向上させることができる。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２３】
１      本体
１１    収容設置空間
１２    水入口
１３    水出口
１４    第一蓋体
１５    ろ過槽
１６    ろ過器
１７    逆流防止装置
１７１  水出口孔
１７２  水入口孔
１７３  逆流防止バルブ
１８    照明殺菌装置
１８１  電池設備
１８２  回路板
１８３  ランプ
１８４  気密ケース
１８５  ランプスイッチ
１９    第二蓋体
【図１】
0003187892.tif 000003
【図２】
0003187892.tif 000004
【図３】
0003187892.tif 000005
【図４】
0003187892.tif 000006